(57)【要約】【課題】筒状の媒体を支持面に被せて支持させる構成の媒体支持ユニットにおいて媒体をセットし易くする。【解決手段】印刷装置１によって印刷が行われる媒体Ｍを支持する媒体支持ユニット２であって、筒状の媒体Ｍを被せ方向Ｄに沿って被せて装着可能であり、該媒体Ｍを支持する支持面８を有する本体部４を備え、支持面８は、平面視した場合に、被せ方向Ｄにおける最下流側から最上流側にかけて、該被せ方向Ｄと直交する直交方向の長さである幅Ｌが短くなるテーパー形状をしていることを特徴とする。【選択図】図５
2017164909.tif 000002
【特許請求の範囲】
【請求項１】
印刷装置によって印刷が行われる媒体を支持する媒体支持ユニットであって、
筒状の媒体を被せ方向に沿って被せて装着可能であり、該媒体を支持する支持面を有する本体部を備え、
前記支持面は、平面視した場合に、前記被せ方向における最下流側から最上流側にかけて、該被せ方向と直交する直交方向の長さである幅が短くなるテーパー形状をしていることを特徴とする媒体支持ユニット。
【請求項２】
請求項１に記載の印刷装置媒体支持ユニットにおいて、
前記支持面は、平面視した場合に、前記被せ方向における最上流側に位置する第１の辺と、前記被せ方向における最下流側に位置し前記幅が前記第１の辺より長い第２の辺と、を有することを特徴とする媒体支持ユニット。
【請求項３】
請求項１に記載の印刷装置媒体支持ユニットにおいて、
前記支持面は、平面視した場合に、前記被せ方向における最上流側が楔型をしていることを特徴とする媒体支持ユニット。
【請求項４】
請求項１から３のいずれか１項に記載の印刷装置媒体支持ユニットにおいて、
前記支持面を平面視した場合における該支持面の外形に沿う形状であり、前記本体部に支持された前記媒体を前記本体部に向けて押さえる枠部を備えることを特徴とする媒体支持ユニット。
【請求項５】
請求項１から３のいずれか１項に記載の印刷装置媒体支持ユニットにおいて、
前記本体部に支持された前記媒体を該本体部における前記支持面と交差する側面に向けて押さえる押さえ部を備えることを特徴とする媒体支持ユニット。
【請求項６】
請求項１から５のいずれか１項に記載の印刷装置媒体支持ユニットにおいて、
前記本体部は、前記直交方向と交差するとともに前記支持面と交差する側面における前記被せ方向の最下流側に、静止摩擦係数が前記支持面よりも大きい高摩擦部材が設けられることを特徴とする媒体支持ユニット。
【請求項７】
請求項１から６のいずれか１項に記載の印刷装置媒体支持ユニットにおいて、
前記本体部は、前記支持面が前記テーパー形状となる第１状態と、前記支持面が前記第１状態と異なる形状となる第２状態と、に状態変更可能であることを特徴とする媒体支持ユニット。
【請求項８】
請求項７に記載の印刷装置媒体支持ユニットにおいて、
前記第２状態における前記支持面の前記被せ方向における最上流側の前記幅が、前記第１状態における前記支持面の前記被せ方向における最上流側の前記幅よりも長いことを特徴とする媒体支持ユニット。
【請求項９】
請求項１から８のいずれか１項に記載の媒体支持ユニットと、
前記媒体支持ユニットに支持される前記媒体に印刷を行う印刷部と、
を備えることを特徴とする印刷装置。
【発明の詳細な説明】
【技術分野】
【０００１】
本発明は、媒体支持ユニット及び印刷装置に関する。
【背景技術】
【０００２】
従来から、様々な印刷装置が使用されている。例えば、媒体支持ユニットの支持面に媒体を支持させ、印刷部に対して媒体支持ユニットを移動させながら印刷する構成の印刷装置が多く使用されている。このような印刷装置のうち、筒状の媒体を支持面に被せて支持させる構成の媒体支持ユニットを備える印刷装置が使用されている。  
例えば、特許文献１には、筒状の媒体であるＴシャツをプラテン（支持面を有する本体部）に被せて支持させる構成の媒体支持ユニットを備えるインクジェット式記録装置（印刷装置）が開示されている。
【先行技術文献】
【特許文献】
【０００３】
【特許文献１】特開２００５−１０３９３７号公報
【発明の概要】
【発明が解決しようとする課題】
【０００４】
しかしながら、筒状の媒体には様々な形状の媒体が有り、筒状の媒体を支持面に被せて支持させる（セットする）際、媒体が媒体支持ユニットに引っかかるなどして、媒体をセットしづらい場合があった。例えば、特許文献１で開示されるインクジェット式記録装置においては、プラテンの移動方向（媒体の被せ方向）に沿う方向に延びる該プラテンの側面において媒体が引っかかる場合があった。
【０００５】
そこで、本発明の目的は、筒状の媒体を支持面に被せて支持させる構成の媒体支持ユニットにおいて媒体をセットし易くすることを目的にする。
【課題を解決するための手段】
【０００６】
上記課題を解決するための本発明の第１の態様の媒体支持ユニットは、印刷装置によって印刷が行われる媒体を支持する媒体支持ユニットであって、筒状の媒体を被せ方向に沿って被せて装着可能であり、該媒体を支持する支持面を有する本体部を備え、前記支持面は、平面視した場合に、前記被せ方向における最下流側から最上流側にかけて、該被せ方向と直交する直交方向の長さである幅が短くなるテーパー形状をしていることを特徴とする。
【０００７】
本態様によれば、支持面は、平面視した場合に、被せ方向における最下流側から最上流側にかけて幅が短くなるテーパー形状をしている。このため、筒状の媒体を支持面に被せて支持させる際、媒体が本体部に引っかかることを抑制でき、媒体をセットし易くすることができる。  
なお、「被せ方向における最下流側から最上流側にかけて幅が短くなる」とは、被せ方向における最下流側から最上流側にかけて幅が同じ部分や幅が長くなる部分を有さないという意味である。
【０００８】
本発明の第２の態様の媒体支持ユニットは、前記第１の態様において、前記支持面は、平面視した場合に、前記被せ方向における最上流側に位置する第１の辺と、前記被せ方向における最下流側に位置し前記幅が前記第１の辺より長い第２の辺と、を有することを特徴とする。
【０００９】
本態様によれば、支持面は、平面視した場合に、被せ方向における最上流側に位置する第１の辺と、被せ方向における最下流側に位置し幅が第１の辺より長い第２の辺と、を有する。すなわち、支持面は、略台形の形状をしている。このため、支持面の面積を確保しつつ、媒体をセットし易くすることができる。  
なお、第１の辺及び第２の辺は、直線のみで構成されていてもよいし、緩やかな曲線で構成されていてもよいし、端部が曲線で構成されている（コーナーアールが付いている）、端部が面取りされている、など直線と曲線との両方を含む構成であってもよい。
【００１０】
本発明の第３の態様の媒体支持ユニットは、前記第１の態様において、前記支持面は、平面視した場合に、前記被せ方向における最上流側が楔型をしていることを特徴とする。
【００１１】
本態様によれば、支持面は、平面視した場合に、被せ方向における最上流側が楔型をしている。すなわち、支持面は、略三角形の形状をしている。このため、被せ方向における最上流側の幅が特に狭くなっているので、特に好適に、媒体をセットし易くすることができる。  
なお、「最上流側が楔型」とは、被せ方向における最上流側の先端が尖っている場合のほか、該先端が曲面で構成されているなどしてもよい意味である。
【００１２】
本発明の第４の態様の媒体支持ユニットは、前記第１から第３のいずれか１つの態様において、前記支持面を平面視した場合における該支持面の外形に沿う形状であり、前記本体部に支持された前記媒体を前記本体部に向けて押さえる枠部を備えることを特徴とする。
【００１３】
本態様によれば、支持面を平面視した場合における該支持面の外形に沿う形状であり、本体部に支持された媒体を本体部に向けて押さえる枠部を備える。このため、該枠部で本体部に支持された媒体を本体部に向けて押さえることにより、本体部に被せた媒体を支持面に確りと固定できる。
【００１４】
本発明の第５の態様の媒体支持ユニットは、前記第１から第３のいずれか１つの態様において、前記本体部に支持された前記媒体を該本体部における前記支持面と交差する側面に向けて押さえる押さえ部を備えることを特徴とする。
【００１５】
本態様によれば、本体部に支持された媒体を該本体部における支持面と交差する側面に向けて押さえる押さえ部を備える。このため、該押さえ部で本体部に支持された媒体を押さえることにより、本体部に被せた媒体が被せ方向における上流側に向かって移動してずれることを抑制できる。
【００１６】
本発明の第６の態様の媒体支持ユニットは、前記第１から第５のいずれか１つの態様において、前記本体部は、前記直交方向と交差するとともに前記支持面と交差する側面における前記被せ方向の最下流側に、静止摩擦係数が前記支持面よりも大きい高摩擦部材が設けられることを特徴とする。
【００１７】
本態様によれば、本体部は、直交方向と交差するとともに支持面と交差する側面における被せ方向の最下流側に、静止摩擦係数が支持面よりも大きい高摩擦部材が設けられる。このため、支持面がテーパー形状をしていることで本体部に対して媒体がずれ易くなっていたとしても、高摩擦部材が媒体の本体部に対するずれを抑制し、本体部に被せた媒体が被せ方向における上流側に向かって移動してずれることを抑制できる。また、高摩擦部材を被せ方向の最下流側に設けることで、媒体のセットし易さが低下することを抑制できる。
【００１８】
本発明の第７の態様の媒体支持ユニットは、前記第１から第６のいずれか１つの態様において、前記本体部は、前記支持面が前記テーパー形状となる第１状態と、前記支持面が前記第１状態と異なる形状となる第２状態と、に状態変更可能であることを特徴とする。
【００１９】
本態様によれば、本体部は、支持面がテーパー形状となる第１状態と、支持面が第１状態と異なる形状となる第２状態と、に状態変更可能である。このため、媒体の形状に応じて、好適な形状に支持面の形状を変更できる。
【００２０】
本発明の第８の態様の媒体支持ユニットは、前記第７の態様において、前記第２状態における前記支持面の前記被せ方向における最上流側の前記幅が、前記第１状態における前記支持面の前記被せ方向における最上流側の前記幅よりも長いことを特徴とする。
【００２１】
本態様によれば、第２状態における支持面の被せ方向における最上流側の幅が、第１状態における支持面の被せ方向における最上流側の幅よりも長い。このため、支持面を第２状態とすることにより、媒体が本体部に引っかかり難い形状である場合などに、媒体の形状に合わせて媒体の支持面積を増加させることが可能になる。
【００２２】
本発明の第９の態様の印刷装置は、前記第１から第８のいずれか１つの媒体支持ユニットと、前記媒体支持ユニットに支持される前記媒体に印刷を行う印刷部と、を備えることを特徴とする。
【００２３】
本態様によれば、支持面は、平面視した場合に、被せ方向における最下流側から最上流側にかけて幅が短くなるテーパー形状をしている。このため、印刷を行う際において筒状の媒体を支持面に被せて支持させる際、媒体が本体部に引っかかることを抑制でき、媒体をセットし易くすることができる。
【図面の簡単な説明】
【００２４】
【図１】本発明の実施例１に係る印刷装置を表す概略斜視図。
【図２】本発明の実施例１に係る印刷装置を表す概略正面図。
【図３】本発明の実施例１に係る印刷装置を表す概略平面図。
【図４】本発明の実施例１に係る印刷装置の要部を表す概略側面図。
【図５】本発明の実施例１に係る印刷装置の要部を表す概略平面図。
【図６】本発明の実施例２に係る印刷装置の要部を表す概略平面図。
【図７】本発明の実施例３に係る印刷装置の要部を表す概略平面図。
【図８】本発明の実施例４に係る印刷装置の要部を表す概略平面図。
【図９】本発明の実施例５に係る印刷装置の要部を表す概略平面図。
【図１０】本発明の実施例６に係る印刷装置の要部を表す概略平面図。
【図１１】本発明の実施例７に係る印刷装置の要部を表す概略平面図。
【図１２】本発明の実施例８に係る印刷装置の要部を表す概略平面図。
【発明を実施するための形態】
【００２５】
以下に、本発明の一実施例に係る印刷装置１について、添付図面を参照して詳細に説明する。  
［実施例１］（図１〜図５）  
図１は本実施例に係る印刷装置１の概略斜視図であり、媒体支持ユニット２が印刷開始位置にある状態を表している。また、図２は本実施例の印刷装置１の概略正面図である。そして、図３は本実施例の印刷装置１の概略平面図であり、媒体支持ユニット２が媒体Ｍ（図４参照）のセット位置にある状態を表している。なお、図１から図３のいずれも、一部の構成部材を簡略化して表している。
【００２６】
本実施例の印刷装置１は、媒体Ｍを本体部としてのトレイ４の支持面８で支持した状態で移動方向Ａに移動する媒体支持ユニット２を備えている。また、印刷装置１は、トレイ４に支持された媒体Ｍを移動方向Ａに搬送する媒体搬送部３を備えている。移動方向Ａは、方向Ａ１と、方向Ａ１と反対方向の方向Ａ２と、を含む方向である。また、トレイ４はステージ５に着脱可能に載置されている。ここで、トレイ４のステージ５に対する着脱方向Ｃは、本実施例の印刷装置１では鉛直方向である。トレイ４はステージ５と共に、レバー９を回転させることにより、着脱方向Ｃに沿う方向（鉛直方向）に移動する。なお、図２で表されるように、レバー９は、アーム部１１に設けられている。また、媒体Ｍとしては、テキスタイル（織物、布等）、紙、塩化ビニル樹脂など種々の素材のものを用いることができ、衣類、鞄、帽子及び手袋など様々な用途及び形状のものを用いることができる。
【００２７】
また、印刷装置１の本体内部にはインクを吐出して媒体Ｍに印刷することが可能な印刷ヘッド７が備えられている。そして、本実施例の印刷装置１は、印刷ヘッド７が設けられたキャリッジ６を移動方向Ａと交差する走査方向Ｂに往復移動させることで、印刷ヘッド７を走査方向Ｂに往復移動させながら、印刷ヘッド７からトレイ４に支持された媒体Ｍにインクを吐出させて所望の画像を形成する。  
なお、本実施例の印刷装置１は、図１の手前側（左下方向）がトレイ４への媒体Ｍのセット位置である（図３参照）。そして、図１の奥側（右上方向）の印刷開始位置まで移動方向Ａのうちの方向Ａ１に媒体Ｍをセットしたトレイ４を移動した後、移動方向Ａのうちの方向Ａ２にトレイ４を移動しながら印刷する。
【００２８】
なお、本実施例の印刷装置１は、走査方向Ｂに往復移動しながら印刷する印刷ヘッド７を備えているが、インクを吐出するノズルを媒体Ｍの移動方向と交差する交差方向に複数設けた所謂ラインヘッドを備える印刷装置でもよい。  
ここで、「ラインヘッド」とは、媒体Ｍの移動方向と交差する交差方向に形成されたノズルの領域が、該交差方向全体をカバー可能なように設けられ、印刷ヘッド又は媒体Ｍを相対的に移動させて画像を形成する印刷装置に用いられる印刷ヘッドである。なお、ラインヘッドの該交差方向のノズルの領域は、印刷装置が対応している全ての媒体Ｍの該交差方向をカバー可能でなくてもよい。  
また、本実施例の印刷ヘッド７は、媒体Ｍにインクを吐出することで印刷可能な印刷部であるが、このような印刷部に限定されず、例えば、色材を媒体Ｍに転写して印刷する転写式の印刷部を使用してもよい。
【００２９】
次に、本実施例の印刷装置１の要部である媒体支持ユニット２について説明する。  
図４は、本実施例の印刷装置１における媒体支持ユニット２の周辺部分を含む概略側面図であり、媒体Ｍが媒体支持ユニット２にセットされた状態を表している。なお、図４では、媒体支持ユニット２の構造を簡略化して表している。  
また、図５は、本実施例の印刷装置１の媒体支持ユニット２のトレイ４の概略平面図である。
【００３０】
本実施例の媒体支持ユニット２は、筒状の媒体Ｍを移動方向Ａに沿う方向である被せ方向Ｄに沿って被せてトレイ４に装着可能な構成になっている。そして、図５で表されるように、トレイ４の支持面８は、平面視した場合に、被せ方向Ｄにおける最下流側（方向Ａ１側の端部）から最上流側（方向Ａ２側の端部）にかけて、該被せ方向Ｄと直交する直交方向（本実施例では走査方向Ｂに対応）の長さである幅Ｌが短くなるテーパー形状をしている。
【００３１】
すなわち、本実施例の媒体支持ユニット２は、印刷装置１によって印刷が行われる媒体Ｍを支持する媒体支持ユニットであって、筒状の媒体Ｍを被せ方向Ｄに沿って被せて装着可能であり、該媒体Ｍを支持する支持面８を有するトレイ４を備えている。  
そして、図５で表されるように、支持面８は、平面視した場合に、被せ方向Ｄにおける最下流側から最上流側にかけて、該被せ方向Ｄと直交する直交方向の長さである幅Ｌが短くなるテーパー形状をしている。このため、本実施例の媒体支持ユニット２は、筒状の媒体Ｍを支持面８に被せて支持させる際、媒体Ｍがトレイ４に引っかかることを抑制でき、媒体Ｍをセットし易くすることができる構成になっている。  
なお、「被せ方向Ｄにおける最下流側から最上流側にかけて幅Ｌが短くなる」とは、被せ方向Ｄにおける最下流側から最上流側にかけて幅Ｌが同じ部分や幅Ｌが長くなる部分を有さないという意味である。
【００３２】
別の表現をすると、本実施例の印刷装置１は、上記の媒体支持ユニット２と、該媒体支持ユニット２に支持される媒体Ｍに印刷を行う印刷ヘッド７と、を備えている。このため、印刷を行う際において筒状の媒体Ｍを支持面８に被せて支持させる際、媒体Ｍがトレイ４に引っかかることを抑制でき、媒体Ｍをセットし易くすることができる。
【００３３】
また、図５で表されるように、本実施例の支持面８は、平面視した場合に、被せ方向Ｄにおける最上流側に位置する第１の辺１２と、被せ方向Ｄにおける最下流側に位置し幅Ｌが第１の辺１２より長い第２の辺１３と、を有している。すなわち、本実施例の支持面８は、略台形の形状をしている。このため、支持面８の面積を確保しつつ、媒体Ｍのセットし易さを向上している。  
なお、第１の辺１２及び第２の辺１３は、直線のみで構成されていてもよいし、緩やかな曲線で構成されていてもよいし、本実施例のように端部１６、１７、１８及び１９が曲線で構成されている（コーナーアールが付いている）、面取りされている、など直線と曲線との両方を含む構成であってもよい。  
また、本実施例のトレイ４は、支持面８と交差する側面１４、１５、２０及び２１のうち、第１の辺１２側の側面２０と第２の辺１３側の側面２１とが平行である。そして、側面１４及び１５は、側面１４、１５、２０及び２１における端部１６、１７、１８及び１９の曲面部分を平面状にのばした場合（コーナーアールを無くした場合）に、側面２０及び側面２１に対して平面視で同じ角度の内角となるように構成されている。すなわち、本実施例の支持面８は平面視で略等脚台形の形状をしているが、このような形状に限定されない。
【００３４】
なお、本実施例のトレイ４は、被せ方向Ｄの上流側であって支持面８と反対側の面に、重り１０が設けられている。これは、第１の辺１２側が第２の辺１３側よりも幅Ｌが小さくなっていることに伴う被せ方向Ｄの上流側と下流側の重量バランスの低下を抑制するためである。ただし、重り１０を設けない構成としてもよい。また、重り１０を設ける場合におけるその配置や大きさや形状についても特に限定はない。
【００３５】
［実施例２］（図６）  
次に、実施例２の媒体支持ユニット２について、添付図面を参照して詳細に説明する。  
図６は、実施例２の媒体支持ユニット２のトレイ４の概略平面図を表しており、実施例１の媒体支持ユニット２の図５に対応する図である。  
なお、本実施例の媒体支持ユニット２は、トレイ４の構成以外は実施例１の媒体支持ユニット２と同様の構成であり、実施例１の印刷装置１で使用可能である。また、実施例１の媒体支持ユニット２と同じ構成部材は同じ符号で表している。
【００３６】
図６で表されるように、本実施例のトレイ４は、重り１０を有さない以外は実施例１のトレイ４と同様の形状であり、トレイ４にセットされた媒体Ｍを押さえる枠部２２をトレイ４に対して着脱方向Ｃに沿って装着可能である。  
すなわち、本実施例の媒体支持ユニット２は、図６で表されるように、支持面８を平面視した場合における該支持面８の外形に沿う形状（本実施例ではテーパー形状）であり、トレイ４に支持された媒体Ｍをトレイ４に向けて押さえる枠部２２を備えている。このため、本実施例の媒体支持ユニット２は、該枠部２２でトレイ４に支持された媒体Ｍをトレイ４の支持面８に向けて押さえることにより、トレイ４に被せた媒体Ｍを支持面８に確りと固定できる構成になっている。  
なお、本実施例の枠部２２は、媒体Ｍを介してトレイ４の支持面８に向けて押さえる構成であるが、このような構成に限定されない。例えば、枠部２２の内壁３１が媒体Ｍを介して側面１４、１５、２０及び２１に接触可能な形状とし、内壁３１が側面１４、１５、２０及び２１に向けて押さえる構成（枠部２２の内壁３１と側面１４、１５、２０及び２１とで媒体Ｍを挟むことで該媒体Ｍを固定する構成）としてもよい。
【００３７】
［実施例３］（図７）  
次に、実施例３の媒体支持ユニット２について、添付図面を参照して詳細に説明する。  
図７は、実施例３の媒体支持ユニット２のトレイ４の概略平面図を表しており、実施例１の媒体支持ユニット２の図５に対応する図である。  
なお、本実施例の媒体支持ユニット２は、トレイ４の構成以外は実施例１の媒体支持ユニット２と同様の構成であり、実施例１の印刷装置１で使用可能である。また、実施例１及び２の媒体支持ユニット２と同じ構成部材は同じ符号で表している。
【００３８】
図７で表されるように、本実施例のトレイ４は、重り１０を有さない以外は実施例１のトレイ４と同様の形状である。また、本実施例の媒体支持ユニット２は、トレイ４にセットされた媒体Ｍを押さえる押さえ部２３を、トレイ４に対して方向Ｅに沿って装着可能である。  
すなわち、本実施例の媒体支持ユニット２は、図７で表されるように、トレイ４に支持された媒体Ｍを該トレイ４における支持面８と交差する側面１４及び１５に向けて押さえる押さえ部２３を備えている。このため、本実施例の媒体支持ユニット２は、該押さえ部２３でトレイ４に支持された媒体Ｍを押さえることにより、トレイ４に被せた媒体Ｍが被せ方向Ｄにおける上流側に向かって移動してずれることを抑制できる構成になっている。  
ここで、本実施例の側面１４及び１５は金属で構成されているとともに押さえ部２３は磁石で構成されており、磁力により押さえ部２３はトレイ４に対して方向Ｅに沿って装着可能な構成である。ただし、このような構成に限定されない。  
また、本実施例の押さえ部２３は、押さえ部２３ａが側面１４に向けて押さえ、押さえ部２３ｂが側面１５に向けて押さえる構成であるが、このような構成に限定されない。例えば、押さえ部２３は、押さえ部２３ａ又は押さえ部２３ｂのいずれか１つだけである構成でもよいし、被せ方向Ｄにおける最下流側の側面２１に向けて押さえる構成としてもよい。ただし、ユーザーによる作業性の観点から、被せ方向Ｄにおける最下流側の側面２１に向けて押さえる構成よりも、側面１４や側面１５に向けて押さえる構成の方が好ましい。
【００３９】
［実施例４］（図８）  
次に、実施例４の媒体支持ユニット２について、添付図面を参照して詳細に説明する。  
図８は、実施例４の媒体支持ユニット２のトレイ４の概略平面図を表しており、実施例１の媒体支持ユニット２の図５に対応する図である。  
なお、本実施例の媒体支持ユニット２は、トレイ４の構成以外は実施例１の媒体支持ユニット２と同様の構成であり、実施例１の印刷装置１で使用可能である。また、実施例１から３の媒体支持ユニット２と同じ構成部材は同じ符号で表している。
【００４０】
図８で表されるように、本実施例のトレイ４は、重り１０を有さない以外は実施例１のトレイ４と同様の形状である。また、本実施例の媒体支持ユニット２は、トレイ４にセットされた媒体Ｍのずり上がり（媒体Ｍの被せ方向Ｄとは反対側への移動）を抑制する高摩擦部材２４が設けられている。  
すなわち、本実施例の媒体支持ユニット２のトレイ４は、図８で表されるように、被せ方向Ｄと直交する直交方向（走査方向Ｂに対応）と交差するとともに支持面８と交差する側面１４及び１５における被せ方向Ｄの最下流側に、静止摩擦係数が支持面８よりも大きい高摩擦部材２４が設けられている。このため、本実施例の媒体支持ユニット２は、支持面８がテーパー形状をしていることでトレイ４に対して媒体Ｍがずれ易くなっていたとしても、高摩擦部材２４が媒体Ｍのトレイ４に対するずれを抑制し、トレイ４に被せた媒体Ｍが被せ方向Ｄにおける上流側に向かって移動してずれることを抑制できる構成になっている。また、高摩擦部材２４を被せ方向Ｄの最下流側に設けることで、媒体Ｍのセットし易さが低下することを抑制している。  
本実施例の媒体支持ユニット２は、側面１４における被せ方向Ｄの最下流側に高摩擦部材２４ａを備え、側面１５における被せ方向Ｄの最下流側に高摩擦部材２４ｂを備えているが、このような構成には限定されない。例えば、高摩擦部材２４ａ又は２４ｂのいずれか１つだけを備える構成であってもよい。
【００４１】
［実施例５］（図９）  
次に、実施例５の媒体支持ユニット２について、添付図面を参照して詳細に説明する。  
図９は、実施例５の媒体支持ユニット２のトレイ４の概略平面図を表しており、実施例１の媒体支持ユニット２の図５に対応する図である。  
なお、本実施例の媒体支持ユニット２は、トレイ４の構成以外は実施例１の媒体支持ユニット２と同様の構成であり、実施例１の印刷装置１で使用可能である。また、実施例１から４の媒体支持ユニット２と同じ構成部材は同じ符号で表している。
【００４２】
図９で表されるように、本実施例のトレイ４は、重り１０を有さない以外は実施例１のトレイ４と同様の形状である。また、本実施例の媒体支持ユニット２は、トレイ４に補助トレイ２５を方向Ｅに沿って装着可能な構成になっている。補助トレイ２５は、平面視した場合に略三角形の形状をしている。そして、補助トレイ２５をトレイ４に装着することで、トレイ４の外形は、テーパー形状から非テーパー形状（ここでは略平行四辺形）に変化する。  
すなわち、本実施例の媒体支持ユニット２のトレイ４は、支持面８がテーパー形状となる第１状態（補助トレイ２５が装着されていない状態）と、図９で表されるように支持面８が第１状態と異なる形状となる第２状態（補助トレイ２５が装着されている状態）と、に状態変更可能である。このため、本実施例の媒体支持ユニット２は、媒体Ｍの形状に応じて、好適な形状に支持面８の形状を変更できる構成になっている。
【００４３】
また、本実施例の媒体支持ユニット２における第２状態は、図９で表されるように、支持面８の被せ方向Ｄにおける最上流側の幅Ｌが第１状態よりも長い。言い換えれば、第２状態における支持面８の被せ方向Ｄにおける最上流側の幅Ｌ２が、第１状態における支持面８の被せ方向Ｄにおける最上流側の幅Ｌ１よりも長い。このため、支持面８を第２状態とすることにより、媒体Ｍがトレイ４に引っかかり難い形状である場合などに、媒体Ｍの形状に合わせて媒体Ｍの支持面積を増加させることが可能になっている。  
ただし、このような構成に限定されず、使用する媒体Ｍの形状に合わせて様々な形状の補助トレイ２５をトレイ４に装着してもよい。  
また、本実施例の側面１４及び１５は金属で構成されているとともに側面１４に装着する補助トレイ２５ａ及び側面１５に装着する補助トレイ２５ｂは共に磁石で構成されており、磁力により補助トレイ２５ａ及び２５ｂはトレイ４に対して方向Ｅに沿って装着可能な構成である。ただし、このような構成に限定されない。例えば、補助トレイ２５ａ及び２５ｂをネジなどの留め具などにより側面１４及び１５に固定可能な構成としてもよい。
【００４４】
［実施例６］（図１０）  
次に、実施例６の媒体支持ユニット２について、添付図面を参照して詳細に説明する。  
図１０は、実施例６の媒体支持ユニット２のトレイ４の概略平面図を表しており、実施例１の媒体支持ユニット２の図５に対応する図である。  
なお、本実施例の媒体支持ユニット２は、トレイ４の構成以外は実施例１の媒体支持ユニット２と同様の構成であり、実施例１の印刷装置１で使用可能である。また、実施例１から５の媒体支持ユニット２と同じ構成部材は同じ符号で表している。
【００４５】
実施例１から５のトレイ４は、略台形の形状をしていた。一方、図１０で表されるように、本実施例のトレイ４は、略三角形の形状であり、その一部を構成する移動部２６（移動部２６ａ及び２６ｂ）を移動させることが可能な構成になっている。  
すなわち、本実施例の媒体支持ユニット２は、支持面８が、平面視した場合に、被せ方向Ｄにおける最上流側が楔型をしており、略三角形の形状をしている。このため、被せ方向Ｄにおける最上流側の幅Ｌが特に狭くなっているので、特に好適に、媒体Ｍのセットし易さを向上している。  
なお、「最上流側が楔型」とは、本実施例のトレイ４のように被せ方向Ｄにおける最上流側の先端２８が尖っている場合のほか、該先端２８が曲面で構成されているなどしてもよい意味である。
【００４６】
また、本実施例の媒体支持ユニット２のトレイ４は、回動支点２７（回動支点２７ａ及び２７ｂ）を基準に回動方向Ｆに移動することにより、移動部２６ａ及び２６ｂが図１０において実線で表される位置にある状態（第１状態）から破線で表される位置にある状態（第２状態）に変位可能な構成になっている。  
すなわち、本実施例の媒体支持ユニット２のトレイ４は、実施例５の媒体支持ユニット２のトレイ４と同様、支持面８がテーパー形状となる第１状態（図１０において移動部２６ａ及び２６ｂが実線で表される位置にある状態）と、支持面８が第１状態と異なる形状となる第２状態（図１０において移動部２６ａ及び２６ｂが破線で表される位置にある状態）と、に状態変更可能である。このため、本実施例の媒体支持ユニット２は、媒体Ｍの形状に応じて、好適な形状に支持面８の形状を変更できる構成になっている。  
また、本実施例の側面１４及び１５は金属で構成されているとともに、移動部２６ａ及び２６ｂは共に磁石で構成されている。そして、第１状態においては、移動部２６ａと移動部２６ｂとが磁力によって引合されている。また、第２状態においては、移動部２６ａと側面１４とが磁力によって引き合わされ、移動部２６ｂと側面１５とが磁力によって引き合わされている。ただし、このような構成に限定されない。例えば、ネジなどの留め具などにより、移動部２６ａと移動部２６ｂとを固定したり、移動部２６ａ及び２６ｂと側面１４及び１５とを固定したりする構成としてもよい。
【００４７】
［実施例７］（図１１）  
次に、実施例７の媒体支持ユニット２について、添付図面を参照して詳細に説明する。  
図１１は、実施例７の媒体支持ユニット２のトレイ４の概略平面図を表しており、実施例１の媒体支持ユニット２の図５に対応する図である。  
なお、本実施例の媒体支持ユニット２は、トレイ４の構成以外は実施例１の媒体支持ユニット２と同様の構成であり、実施例１の印刷装置１で使用可能である。また、実施例１から６の媒体支持ユニット２と同じ構成部材は同じ符号で表している。
【００４８】
本実施例の媒体支持ユニット２のトレイ４は、図１１で表されるように、支持面８が、平面視した場合に、端部１６、１７、１８、１９及び２９を角部とする略５角形をしている。  
そして、本実施例の媒体支持ユニット２においても、支持面８は、平面視した場合に、被せ方向Ｄにおける最下流側から最上流側にかけて、該被せ方向Ｄと直交する直交方向（本実施例では走査方向Ｂに対応）の長さである幅Ｌが短くなるテーパー形状をしている。このため、本実施例の媒体支持ユニット２も、筒状の媒体Ｍを支持面８に被せて支持させる際、媒体Ｍがトレイ４に引っかかることを抑制でき、媒体Ｍをセットし易くすることができる構成になっている。
【００４９】
［実施例８］（図１２）  
次に、実施例８の媒体支持ユニット２について、添付図面を参照して詳細に説明する。  
図１２は、実施例８の媒体支持ユニット２のトレイ４の概略平面図を表しており、実施例１の媒体支持ユニット２の図５に対応する図である。  
なお、本実施例の媒体支持ユニット２は、トレイ４の構成以外は実施例１の媒体支持ユニット２と同様の構成であり、実施例１の印刷装置１で使用可能である。また、実施例１から７の媒体支持ユニット２と同じ構成部材は同じ符号で表している。
【００５０】
本実施例の媒体支持ユニット２のトレイ４は、図１２で表されるように、支持面８が、平面視した場合に、端部１８及び１９と、該支持面８と略平面（端部１８及び１９以外は平面）である側面２１とで構成される略直線（第２の辺１３）と、被せ方向Ｄと反対側に凸となり該支持面８と曲面である側面３０（支持面８と交差する側面）とで構成される曲線３２と、で構成されている。  
そして、本実施例の媒体支持ユニット２においても、支持面８は、平面視した場合に、被せ方向Ｄにおける最下流側から最上流側にかけて、該被せ方向Ｄと直交する直交方向（本実施例では走査方向Ｂに対応）の長さである幅Ｌが短くなるテーパー形状をしている。このため、本実施例の媒体支持ユニット２も、筒状の媒体Ｍを支持面８に被せて支持させる際、媒体Ｍがトレイ４に引っかかることを抑制でき、媒体Ｍをセットし易くすることができる構成になっている。
【００５１】
なお、本発明は上記実施例に限定されることなく、特許請求の範囲に記載した発明の範囲内で種々の変形が可能であり、それらも本発明の範囲内に含まれることは言うまでもない。
【符号の説明】
【００５２】
１…印刷装置、２…媒体支持ユニット、３…媒体搬送部、４…トレイ（本体部）、
５…ステージ、６…キャリッジ、７…印刷ヘッド（印刷部）、８…支持面、９…レバー、
１０…重り、１１…アーム部、１２…第１の辺、１３…第２の辺、１４…側面、
１５…側面、１６…端部、１７…端部、１８…端部、１９…端部、２０…側面、
２１…側面、２２…枠部、２３、２３ａ、２３ｂ…押さえ部、
２４、２４ａ、２４ｂ…高摩擦部材、２５、２５ａ、２５ｂ…補助トレイ、
２６、２６ａ、２６ｂ…移動部、２７、２７ａ、２７ｂ…回動支点、２８…先端、
２９…端部、３０…側面、３１…枠部２２の内壁、３２…曲線、
Ｌ…幅（被せ方向Ｄと直交する直交方向の長さ）、
Ｌ１…第１状態における被せ方向Ｄにおける最上流側の幅Ｌ、
Ｌ２…第２状態における被せ方向Ｄにおける最上流側の幅Ｌ、Ｍ…媒体、
【図１】
2017164909.tif 000003
【図２】
2017164909.tif 000004
【図３】
2017164909.tif 000005
【図４】
2017164909.tif 000006
【図５】
2017164909.tif 000007
【図６】
2017164909.tif 000008
【図７】
2017164909.tif 000009
【図８】
2017164909.tif 000010
【図９】
2017164909.tif 000011
【図１０】
2017164909.tif 000012
【図１１】
2017164909.tif 000013
【図１２】
2017164909.tif 000014